(57)【要約】【課題】温浴に有効な機能を発揮できるようにされた上下二槽構造の温浴器を提供する。【解決手段】両足が入り得る大きさを備えた下部温浴槽２と、両前腕部から手が収まるように細長くされた上部温浴槽３と、これら上下両温浴槽２，３を高さ方向に所要寸法隔てて支持する支持柱４、および前記上下温浴槽２，３ごとに貯留温水を循環させる二系統の温浴水循環手段２０，３０とを備え、前記二系統の温浴水循環手段２０，３０は、いずれも浴槽吸水口８，１４から循環ポンプ２１，３１，ヒータ２５，３５および気泡ノズル２６，３６を介して浴槽温水出口７，１３に直結配管され、前記吸水口８，１４と循環ポンプ２１，３１との間にフィルタ２３，３３を介在させ、温浴水循環系統ごとに条件設定できるようにする設定手段を備えている。【選択図】図１
2006187586.tif 000002
【特許請求の範囲】
【請求項１】
両足が入り得る大きさを備えた下部温浴槽と、両前腕部から手が収まるように細長くされた上部温浴槽と、これら上下両温浴槽を高さ方向に所要寸法隔てて支持する支持構造、および前記上下温浴槽ごとに貯留温水を循環させる二系統の温浴水循環手段とを備え、
前記二系統の温浴水循環手段は、いずれも浴槽吸水口から循環ポンプ，ヒータおよび気泡ノズルを介して浴槽温水出口に直結配管され、前記温浴水循環系統ごとに条件設定できるようにする設定手段を備えていることを特徴とする温浴器。
【請求項２】
前記上部温浴槽における温水出口と吸水口とは、相対向する位置に設けられている請求項１に記載の温浴器。
【請求項３】
前記上部温浴槽における温水出口は、少なくとも左右両側に設けられ、温浴槽中央部に循環ポンプへの吸水口が設けられている請求項１に記載の温浴器。
【請求項４】
前記ヒータは、ポンプ吐出側に直結される管路内で流路に沿って挿入配設されている請求項１に記載の温浴器。
【発明の詳細な説明】
【技術分野】
【０００１】
本発明は、温水を満たした二つの異なる浴槽を備えて、人体の手から前腕部と足部とをそれぞれ前記浴槽内に入れて暖めるのに用いられる温浴器に関するものである。
【背景技術】
【０００２】
従来、温水を満たした水槽内に足を入れて温水で暖める足温浴器に関しては、既に多くのものが提案されている。その多くは、足を揃えて入れ得る大きさの水槽の外部に付設されたヒータで水槽内の水を暖めて、この水槽内に足を入れて温浴するようにされている。この種の温浴器としては、例えば足を揃えて入れ得る大きさの水槽の底裏部にヒータが配置されて、水槽の外部から加温するようにされ、この水槽内に足載せ台が配されて温水の対流で足を暖めるようにしたものがある（特許文献１）。また、より機能性を高めるために、温水槽の外周りにヒータを配して加温するとともに、その温水をポンプでジェット噴流にして噴出させたり、排水のために水路切換え装置を付加したりしたものが知られている（特許文献２）。
【０００３】
このほかに、足部を温水で暖めるのに併せて手や前腕部も温水を利用して暖める手足の温浴器１００として、図６に示されるような二つの温水槽１０１，１０２を上下に配した構造のものが知られている。この温浴器１００は、下側に両足が受入れられる大きさの温水槽１０１を配し、その上方位置に温浴しようとする人が別途椅子に腰掛けた状態で前腕部と手を入れ得る大きさの温水槽１０２を支持脚１０３によって一体に支持されてなる形状にされている。そして、下部の温水槽１０１に供給される温水を上部の温水槽１０２にも送られるように１台の電動ポンプ１０４が配置され、この電動ポンプ１０４によって上下ともに温水を循環させて温浴できる構成にされている。
【０００４】
【特許文献１】特開平１０−５３０７号公報
【特許文献２】特開２００２−１５３５３７号公報
【発明の開示】
【発明が解決しようとする課題】
【０００５】
しかしながら、前記特許文献１または特許文献２によって知られるものでは、足部のみを温浴する方式であり、人体の抹消血管が集中する部位である手足を暖めて血行を良好にすることを目的とした温浴手段としては、足部のみの加温では不十分である。また、この足部を温浴するには使用者が座位の状態となることが必須となる。したがって、この座位の状態での温浴をより効果的に行うには、手や前腕部も併せて温浴できるようにすることが好ましい。
【０００６】
このような足温浴器に対して、前記上下に温水槽１０１，１０２を配置して手や前腕部と足部とを同時に温浴する温浴器１００では、一度に手や前腕部と足部の温浴ができて身体の抹消部の血行促進を図るのに有効である。しかし、この温浴器１００では、上下の温水槽１０１，１０２の温水を一箇所に纏めて循環するようにされているので、手や前腕部に対して異なる部位である足部とに、少量の温水を循環して使用することになるから不衛生であるという問題点がある。また、上下の温水槽１０１，１０２の温水を１台の電動ポンプ１０４で循環して使用するので、温度設定も一定の温度しか設定できず、上下の水槽の容量が大きく異なるので適正な温度設定ができないという問題点もある。
【０００７】
本発明は、このような問題を解決して、衛生的でかつ温浴に有効な機能を発揮できるようにされた上下二槽構造の温浴器を提供することを目的とするものである。
【課題を解決するための手段】
【０００８】
前記目的を達成するために、本発明による温浴器は、
両足が入り得る大きさを備えた下部温浴槽と、両前腕部から手が収まるように細長くされた上部温浴槽と、これら上下両温浴槽を高さ方向に所要寸法隔てて支持する支持構造、および前記上下温浴槽ごとに貯留温水を循環させる二系統の温浴水循環手段とを備え、前記二系統の温浴水循環手段は、いずれも浴槽吸水口から循環ポンプ，ヒータおよび気泡ノズルを介して浴槽温水出口に直結配管され、前記温浴水循環系統ごとに条件設定できるようにする設定手段を備えていることを特徴とするものである。
【０００９】
前記発明において、前記上部温浴槽における温水出口と吸水口とを対向する位置に設けられているのがよい（第２発明）。また、前記上部温浴槽における温水出口は、少なくとも左右両側に設けられ、温浴槽中央部に循環ポンプへの吸水口が設けられているのがよい（第３発明）。
【００１０】
さらに、前記発明において、ヒータはポンプ吐出側に直結される管路内で流路に沿って挿入配設されるのがよい（第４発明）。
【発明の効果】
【００１１】
本発明によれば、手足を同時に温浴できる温浴器において、上下に配される温浴槽を二系統の温浴水循環手段によって独立して温浴水を循環使用できるようにされるので、使用の状況に応じて各温浴水の温度設定などを個別に調整することができ、使用者（被浴者）にとって最適の状態で温浴することができるという効果がある。また、上下温浴槽で温浴水を別個にすることにより衛生的であるという効果が得られる。
【００１２】
また、第２発明の構成を採用することによって、少ない水量を有効に利用して直進させ、噴流中に混在する気泡を被浴者の温浴部位に沿って接触させて温水と気泡の破裂による接触効果を有効に作用させることができる。また、第３発明の構成を採用すれば、被浴者の温浴部位に対して温水出口から噴出させる噴流中の気泡をより積極的に接触させることができ、温水中での気泡の破裂による接触効果を一層高めることができる。
【００１３】
また、第４発明の構成を採用することにより、管路中での熱交換効率を高めて省エネルギー化を図ることができるとともに、小スペースに配置できるという効果が得られる。
【発明を実施するための最良の形態】
【００１４】
次に、本発明による温浴器の具体的な実施の形態について、図面を参照しつつ説明する。
【００１５】
図１には本発明にかかる温浴器の第１実施形態を模式的に表わす概要図が、図２には本実施形態の温浴器の使用態様を表わす側面図が、図３には上部温浴槽の平面図が、それぞれ示されている。
【００１６】
この実施形態の温浴器１は、図１および図２に示されるように、下部に被浴者Ｈが両足を揃えて入れる下部温浴槽２と、被浴者Ｈが椅子５０に腰掛けた姿勢で前腕部と手を入れる上部温浴槽３と、この上部温浴槽３を一体的に支持する支持柱４と、前記下部温浴槽２内と前記上部温浴槽３内とにそれぞれ独立して温水を循環供給する二系統の温浴水循環手段２０，３０および温浴水の設定を行う設定手段４５とで構成されている。
【００１７】
前記下部温浴槽２は、被浴者Ｈが両足ｈを揃えて入れ得る程度の容積を有する浴槽５と、その浴槽５の周りに所要のスペースを取って取巻く外殻部６とが、例えばプラスチックにて一体に成形されている。浴槽５の内部には、被浴者Ｈが位置する前面側に対してその左右側面の一方には温水出口７が設けられ、他方の側面には温水の吸水口８が１または２箇所（この実施形態では２箇所）に設けられている。また、内底部に排水口９が設けられている。なお、前記浴槽５はその底部が設置面から充分浮き上がった状態にて維持されるように形成されている。
【００１８】
前記上部温浴槽３は、図３に示されるように、浴槽１１が細長くて被浴者Ｈ（図２参照、以下同じ）に対面する中央部が後寄りにへこんで「く」の字状にされ、その「く」の字状の屈曲部が両端よりも後方に広がりを持つ形状で、その長さ寸法を被浴者Ｈが両ひじを張った状態で前腕部と手が収まる範囲で比較的浅い寸法にされて、使用時に不自然な姿勢とならないように形成されている。そして、その浴槽１１の周りに所要のスペースを取って取巻く外殻部１２とが、例えばプラスチックにて一体に成形されている。浴槽１１の内部には、被浴者Ｈが位置する前面側に対してその左右側面の一方には温水出口１３が設けられ、他方の側面には温水の吸水口１４が設けられ、内底の中央部には排水口１５が設けてある。
【００１９】
このように形成される下部温浴槽２と上部温浴槽３とは、支持柱４によって、図２に示されるように、被浴者Ｈが椅子５０に腰掛けて足部ｈを下部温浴槽２の浴槽５内に入れた状態で、前腕部と手ｈ′を上部温浴槽３の細長い浴槽１１内に肘つくようにして入れる姿勢を保てる高さに支持柱４で支持される構造に設定されている。
【００２０】
このようにされる下部温浴槽２に対する温浴水循環手段２０は、浴槽５の周りに形成される外殻部６内の空スペースに、浴槽５の吸水口８から後部位置に設置される循環ポンプ２１の吸込み側へ吸込み配管２２で配管され、その吸込み配管２２中にカセット式のフィルタ２３が取外し可能に設けられている。浴槽５の温水出口７には、前記循環ポンプ２１の吐出側から供給配管２４が接続される。この供給配管２４中にはヒータ２５と気泡ノズル２６が組み込まれている。前記ヒータ２５は、シーズヒータが用いられ、ヒータ加熱部が配管中に流れに平行して配置されている。また、気泡ノズル２６は温水出口７の近傍に接続され、水流によって外気が吸引されてジェット噴流を生成するように形成されている。
【００２１】
前記上部温浴槽３に対する温浴水循環手段３０は、前記下部温浴槽２と同様に、浴槽１１の周りに形成される外殻部１２内の空スペースに、浴槽１１の吸水口１４から後部位置に設置される循環ポンプ３１の吸込み側へ吸込み配管３２が接続され、その吸込み配管３２中にカセット式のフィルタ３３が取外し可能に設けられている。浴槽１１の温水出口１３には、前記循環ポンプ３１の吐出側から供給配管３４が接続される。この供給配管３４中にはヒータ３５と気泡ノズル３６が組み込まれている。前記ヒータ３５は、シーズヒータが用いられ、ヒータ加熱部が配管中に流れに平行して配置されている。また、気泡ノズル３６は温水出口１３の近傍に接続され、水流によって外気が吸引されてジェット噴流を生成するように形成されている。
【００２２】
前記上下両温浴水の循環ポンプ２１，３１は、いずれもポンプ部分が浴槽５，１１の水位以下になるようにして設置されている。こうすることで、起動時の呼び水を必要とすることなく運転できる。
【００２３】
また、前記上部温浴槽３の排水口１５には、上部の循環ポンプ３１吸込み側配管３２からと共に排水管３７が下部温浴槽２側に接続され、その途中にストップバルブ３８が設けられて、このストップバルブ３８を開くことで浴槽１１および温浴水循環系配管３２，３４中の排水ができるようにされている。なお、下部温浴槽２の浴槽５と下部の温浴水循環系配管２２，２４の排水は浴槽排水配管３９中に設けたバルブ４０を開くことにより、すべて排出できるようにされている。
【００２４】
前記温浴水の設定手段４５は、上部温浴槽３の後部適所に設けられた操作パネルに設けられる操作ノブ（図示省略）によって、上下各温浴槽２，３での温浴水の温度設定、温浴時間の設定、電源のオン・オフなどが行えるようにされている。前記温浴水の温度設定はヒータ２５，３５を遠隔操作するようにされ、温浴時間の設定はタイマー（図示せず）によって行えるようになっている。
【００２５】
このように構成される本実施形態の温浴器１は、その使用に先立って別途用意した温水を上下各温浴槽２，３の浴槽５，１１に所定量注入して後、電源を投入することにより各温浴水循環手段の循環ポンプ２１，３１を起動する。こうすると、循環ポンプ２１，３１の作動によって上下温浴槽２，３でともに温浴水が循環し、温水出口７（１３）から流出する温浴水は浴槽５（１１）内を流れて吸水口８（１４）から循環ポンプ２１（３１）に吸引されて循環流動する。この際、必要に応じて温浴剤を所要量温浴水に混入して使用することができる。
【００２６】
被浴者Ｈは、図２に示されるように、椅子５０に腰掛けて両足ｈを下部温浴槽２の浴槽５内に入れ、両前腕部と手ｈ′を上部温浴槽３の浴槽１１内に浸すようにする。こうすると、下部温浴槽２では、設定された温度の温浴水が気泡ノズル２６を通過するときに誘引されるエアを伴って気泡を含むジェット流となって温水出口７から浴槽５内に噴流し、温浴水に浸している足ｈ部に激しく接触して吸水口８からフィルタ２３を通って循環ポンプ２１に吸引され、循環ポンプ２１によってヒータ２５を通じて温水出口７側に送り出される。
【００２７】
一方、上部温浴槽３では、浴槽１１内に注入された温浴水が循環ポンプ３１によって吸水口１４から吸引されて、その循環ポンプ３１によってヒータ３５を通り加温されて気泡ノズル３６にて誘引されるエアによって気泡を含むジェット流となって温水出口１３から浴槽１１内に噴出される。被浴者Ｈは、浴槽１１内に両前腕部と手ｈ′を浸し、浴槽１１内を流動する気泡を含むジェット流が浸した部位全体に接触するようにする。
【００２８】
こうして設定されている所要時間（概ね２０分）浸した部位を温水の流動に曝すことよって加温されると同時に皮膚に刺激が与えられ、温浴効果を高めることができるのである。
【００２９】
この温浴に際して、上部温浴槽３の温浴水と下部温浴槽２の温浴水とは、前述のように別個に循環する構成とされ、それぞれ個々に温度設定ができるから、被浴者Ｈの使用状況に応じて設定手段４５の操作パネルで操作して温浴水の温度を変えて使用することができる。また、温浴水は上部と下部が個別に循環するので、皮膚との接触によって排除される汚れが異なる場合でも混合されず使用することができ、不衛生になることが回避できるのである。
【００３０】
さらに、上部温浴槽３では、細長くされた浴槽１１内を温水出口１３と吸水口１４とが相対向して配され、温水出口１３から気泡を含むジェット流の温浴水が吸水口１４に向かって流動するので、その温浴水が浴槽１１に浸している前腕部と手に沿って流動し温浴効果を高められる。
【００３１】
上下両温浴槽２，３において吸水口８，１４から循環ポンプ２１，３１に吸引される温浴水は、浴槽５，１１内で気泡を含むジェット流として浸した被浴者Ｈの部位に接触した後、混在する気泡は弾けて消滅するが、その一部が吸水口８，１４から吸込み配管２２，３２中に混入しても、循環ポンプ２１，３１の吸引口までの間にフィルタ２３，３３が組み込まれているので、このフィルタ２３，３３によって気泡が捕捉され、ポンプに吸引されることはなく、キャビテーションを発生させるのを回避することができる。また、フィルタ２３，３３によって使用時の温浴水中に混在する異物などをろ過し、常に清浄な状態で温浴水を循環させることができる。
【００３２】
この温浴器１は、所定の時間を経過すると、タイマーが作動して循環ポンプ２１，３１の電源を断つので温浴水の流動が停止し、使用時間が終了する。使用終了後は、温浴水が使用者（被浴者）の老廃物によって汚れが生じるので、排水配管３７，３９中のストップバルブ３８およびバルブ４０を開くことにより、上部温浴槽３並びに下部温浴槽２の使用済み温浴水を排出することができる。この排水管路（排水配管３７，３９）は上下両温浴槽２，３と上下両循環系統中に残留水が生じないように配管されているので、次の使用時に残留水が混入することはない。
【００３３】
次に、図４には本発明にかかる温浴器の第２実施形態を模式的に表わす図が、図５には第２実施形態の温浴器の浴槽要部を説明する正面外殻図（ａ）とそのＡ−Ａ視図（ｂ）が、それぞれ示されている。
【００３４】
この第２実施形態の温浴器１Ａは基本構成において前記実施形態のものと同様であり、温浴水の循環について一部を異にし、これに伴い上下両温浴槽の構造の一部が異なるものである。したがって、前記構成と同一もしくは同様の部分については前記実施形態と同一の符号を付して詳細な説明を省略することとする。
【００３５】
この温浴器１Ａは、前記実施形態と同様に、所要の間隔で下部温浴槽２の上部に支持柱４により支持されて上部温浴槽３が配置されている。そして、上下温浴槽２，３では、それぞれ独立して温浴水循環手段２０Ａ、３０Ａにより温浴水が循環するようにされている。
【００３６】
下部温浴槽２は、前記実施形態と同様の寸法にして、その浴槽５Ａの底部中央部分で前後方向に断面半円状の溝部５ａが形成されている。この溝部５ａにはその両縁全長にわたり段部５ｂ，５ｂが形成され、この両側の段部５ｂ，５ｂに下端を受支されて断面半円形の多孔状保護板４６が配置されている。また、浴槽５の内部には、被浴者Ｈが位置する前面側に対してその左右側面にそれぞれ温水出口７ａ，７ｂが設けられ、前記溝部５ａの一方の端面に温水の吸水口８ａが設けられている。また、溝５ａの内底部に排水口９が設けられている。
【００３７】
また、上部温浴槽３は、下部温浴槽２と同様にその底部中央で前後方向にやや深い溝部１１ａが形成されている。そして、この溝部１１ａは下半部を円弧面に形成され、上側両縁に段部１１ｂ，１１ｂが全長にわたり形成され、この両側の段部１１ｂ，１１ｂにて受止められるようにして多孔板にてなる保護板４７が配されている。この上部温浴槽２の浴槽１１Ａ内の両側端部における側面（被浴者Ｈが位置する側の対面が好ましい）には、それぞれ温水出口１３ａ，１３ｂが設けられ、前記溝部の後面側（被浴者位置の対面側）に吸水口が設けられている。また、溝１１ａの内底部に排水口１５が設けられている。
【００３８】
一方、下部温浴槽２の温浴水循環手段２０Ａは、下部温浴槽２の隣接位置に設置される循環ポンプ２１の吐出側から浴槽５Ａへの供給配管２４中にヒータ２５が配置され、このヒータ２５によって加熱された温浴水を分岐管２６Ａによって前記浴槽５Ａの左右の温水出口７ａ，７ｂに接続されている。その供給配管２４における分岐管２６Ａには気泡ノズル２６ａ，２６ａが両温水出口７ａ，７ｂに対応するように設けられている。この気泡ノズル２６ａにおいては、管路の絞縮部（ノズル部）での流体の速度ヘッドで外気を吸引混合させ気泡を含むジェット流を起こさせるように構成されている。また、前記浴槽５Ａ内の溝部５ａにカートリッジ型のフィルタ２３Ａを配置して、このフィルタ２３Ａに温水戻り配管２２端を接続し、吸水口８ａから循環ポンプ２１の吸引側に温水戻り配管２２を接続するようにされている。なお、前記フィルタ２３Ａは、吸水口８ａにおいて接続部を例えばねじ接続にしておけば、脱着が容易になり、清掃・交換作業を容易にする。
【００３９】
上部温浴槽３Ａの温浴水循環手段３０Ａは、前記下部温浴槽２Ａと同様に、隣接位置に設置される循環ポンプ３１の吐出側から浴槽１１Ａへの供給配管３４中にヒータ３５が配置され、このヒータ３５によって加熱された温浴水を分岐管３６Ａによって前記浴槽１１左右の温水出口１３ａ，１３ｂに接続されている。その供給配管３４における分岐管３６Ａには、気泡ノズル３６ａ，３６ａが両温水出口１３ａ，１３ｂに対応するように設けられている。また、前記浴槽１１Ａ内の溝部１１ａにカートリッジ型のフィルタ３３Ａを配置して、このフィルタ３３Ａを吸水口１４ａに着脱可能に接続し、吸水口１４ａから循環ポンプ３１の吸引側に温水戻り配管３２を接続するようにされている。
【００４０】
また、前記循環ポンプ２１，３１の配置は、いずれもポンプ部分が浴槽５Ａ，１１Ａの水位以下にすること、および各浴槽５Ａ，１１Ａの排水配管については、前記実施形態の場合と同様である。そして、下部温浴槽２Ａの下部には、図５（ａ）（ｂ）に示されるように、支持フレーム４Ａの下面に所定の位置で複数個のキャスター４８が取付けられて移動容易な構造にされている。
【００４１】
このように構成される温浴器１Ａは、使用に際して上下各温浴槽２，３の浴槽５Ａ，１１Ａに前記実施形態と同様に温水を所定量注入して、電源を投入して各温浴水循環手段２０Ａ，３０Ａの循環ポンプ２１，３１を起動すると、その循環ポンプ２１，３１の作動によって上下温浴槽２，３でともに温浴水が循環し、温水出口７ａ，７ｂ（１３ａ，１３ｂ）から流出する温浴水が浴槽５Ａ（１１Ａ）内を流れてそれぞれフィルタ２３Ａ（３３Ａ）を介して温水戻り配管２２（３２）から循環ポンプ２１（３１）に吸引されて循環流動する。
【００４２】
被浴者Ｈは前記実施形態の場合と同様に、図２に示されるように、椅子５０に腰掛けて両足部ｈを下部温浴槽２の浴槽５Ａ内に入れ、両前腕部と手ｈ′を上部温浴槽３の浴槽１１Ａ内に浸すようにする。こうすると、下部温浴槽２では、設定された温度の温浴水が分岐管２６Ａによって分岐されて気泡ノズル２６ａ，２６ａをそれぞれ通過するときに誘引されるエアを伴って気泡を含むジェット流となって温水出口７ａ，７ｂから浴槽５Ａ内に噴出し、温浴水に浸している足部ｈに両側から激しく接触する。浴槽５Ａ内の温浴水は溝部５ａに位置するフィルタ２３Ａを介して循環ポンプ２１に吸引され、循環ポンプ２１によってヒータ２５で加温されて温水出口側に送り出される。こうして、浴槽５Ａ内では温浴水が浸している足部ｈに対して両側から気泡を含むジェット流を噴出させるので、被浴者Ｈの足部周囲の温浴水が激しく撹乱されて足表面に接触し、同時に気泡がはじけることにより表皮部に刺激を与え血行促進の効果を高めることができる。
【００４３】
一方、上部温浴槽３では、浴槽１１Ａ内に注入された温浴水が循環ポンプ３１によって浴槽底の溝部１１ａ内に位置するフィルタ３３Ａを介して吸引され、その循環ポンプ３１によってヒータ３５を通り加温されて分岐管３６Ａで分岐され、気泡ノズル３６ａ，３６ａをそれぞれ通過するときに誘引されるエアを伴って気泡を含むジェット流となって左右の温水出口１３ａ，１３ｂから浴槽１１Ａ内に噴出される。被浴者Ｈは、浴槽１１Ａ内に両前腕部と手ｈ′を浸し、浴槽１１Ａ内を流動する気泡を含むジェット流が浸した部位全体に接触するようにする。この際、温水出口１３ａ，１３ｂが左右両側で被浴者に向かうようにして配設されているので、被浴者Ｈの両前腕部から手に（端部から中央部へ）向かって噴流が流れ、温浴水に浸した部位全体に対する温浴水の流動接触が高められ、バブルがはじけることによる刺激によって一層の温浴効果が得られるのである。なお、前記温水出口は必要に応じて２箇所以上にすることもできる。上部温浴槽３での温水の戻りは、浴槽１１Ａの中央部に設けられた溝部１１ａ内に位置するフィルタ３３Ａを通過して循環ポンプ３１に吸引されて循環する。
【００４４】
この実施形態にあっては、各温浴水循環手段２０Ａ，３０Ａ中に設けられるフィルタ２３Ａ、３３Ａが、いずれもカートリッジ型でその長手方向の一端を吸水口８ａ，１４ａに着脱可能に接続されて浴槽５Ａ，１１Ａ内に露出して配されているので、温浴水中の異物のろ過が有効に行われる。また、交換又は清掃を行うときにはフィルタ単体を取外して処置できるから、取扱いが簡単に行えるのである。また、これらフィルタ２３Ａ、３３Ａは、浴槽内に形成された溝部５ａ，１１ａ内に位置するので、温浴器の使用時には、その溝部の上側を保護板４６，４７により覆われることにより被浴者Ｈに接触することなく使用できる。さらに、前記フィルタを吸水口の手前（あるいは吸水管路中）に設けるようにしておけば、温浴槽における温水出口から気泡を伴わせて噴出されたジェット噴流が使用者の温浴部位に接触した後、吸水口から循環ポンプに吸引されるに際し、気泡がポンプに直接吸込まれるのを防止して、キャビテーションの発生を予防することができる。
【００４５】
上述したように、本実施形態の温浴器１（１Ａ）は、上下の温浴槽と各温浴水循環系とを別系統に構成して取扱う温浴水の温度設定を個々に調整したりして、温浴効果の向上を図り、加えて異なる部位の温浴にともなう老廃物の発生に対処して衛生的に良好に保つことができ、被浴者に温浴効果を精神的にも有効に保つことができるという効果を奏するのである。
【００４６】
上記実施形態では、温浴器は定置構造であってもよいが、必要に応じて下部温浴槽を備える部分にキャスターを付設した構成とすれば、任意の位置に移動して使用することができる。また、本発明においては、温浴水循環手段が上下二系統に分離されているので、支持柱の部分に高さ調節できる機構を組み込めば、排水配管の一部に可とう性の配管を介在させることにより、被浴者の体格に応じて上部温浴槽の高さ位置を変更することが可能である。
【図面の簡単な説明】
【００４７】
【図１】本発明にかかる温浴器の実施形態を模式的に表わす概要図
【図２】本実施形態の温浴器の使用態様を表わす側面図
【図３】上部温浴槽の平面図
【図４】本発明にかかる温浴器の第２実施形態を模式的に表わす図
【図５】第２実施形態の温浴器の浴槽要部を説明する正面外殻図（ａ）とそのＡ−Ａ視図（ｂ）
【図６】従来の上下に浴槽を配させた温浴器を表わす図
【符号の説明】
【００４８】
１，１Ａ    温浴器
２    下部温浴槽
３    上部温浴槽
４    支持柱
５，５Ａ    下部の浴槽
５ａ，１１ａ    溝部
７，７ａ，７ｂ，１３，１３ａ，１３ｂ    温水出口
８，８ａ，１４，１４ａ    吸水口
９，１５    排水口
１１，１１Ａ    上部の浴槽
２０，２０Ａ，３０，３０Ａ    温浴水循環手段
２１，３１    循環ポンプ
２３，２３Ａ，３３，３３Ａ    フィルタ
２５，３５    ヒータ
２６，２６ａ，３６，３６ａ    気泡ノズル
４５    設定手段
４６，４７    保護板
【図１】
2006187586.tif 000003
【図２】
2006187586.tif 000004
【図３】
2006187586.tif 000005
【図４】
2006187586.tif 000006
【図５】
2006187586.tif 000007
【図６】
2006187586.tif 000008